(57)【要約】【課題】  多数の宛先情報が登録されている場合において、宛先情報の検索効率を向上できるようにする。【解決手段】  ユーザ操作に従って電話番号登録指示を入力すると、ＣＰＵ３は、登録エリア情報に基づいて、携帯電話機１０が現在存在している地域を特定し登録地域情報を求める。そして、ＣＰＵ３は、登録対象の電話番号を、登録地域情報に対応付けてメモリ７に記憶させる。また、ユーザ操作に従って電話番号表示指示を入力すると、ＣＰＵ３は、各登録地域情報に基づいて、登録地域が携帯電話機１０の現在位置に近い順に、メモリ７が記憶する各登録電話番号を並べ替える。そして、ＣＰＵ３は、並べ替えた順番に従って、各登録電話番号を表示部８に表示させる。【選択図】  図１
2006319454.tif 000002
【特許請求の範囲】
【請求項１】
携帯端末のユーザの登録操作に従って、宛先情報を登録する宛先情報登録手段と、
登録対象の宛先情報を、前記宛先情報の登録操作が行われた時に前記携帯端末が存在していた地域を示す登録地域情報に対応付けて複数記憶する宛先情報記憶手段と、
前記宛先情報記憶手段が記憶する各登録地域情報に基づいて、登録操作が行われた時に前記携帯端末が存在していた地域が前記携帯端末の現在位置から近い順に、前記宛先情報記憶手段が記憶する各宛先情報を並べ替える宛先情報並替手段と、
前記宛先情報並替手段が並べ替えた順番に従って、前記宛先情報記憶手段が記憶する各宛先情報を表示する宛先情報表示手段とを備えた
ことを特徴とする携帯端末。
【請求項２】
所定のタイミングで、携帯端末が現在存在している無線エリアを示すエリア情報を取得するエリア情報取得手段を備え、
宛先情報登録手段は、
宛先情報の登録操作が行われると、前記エリア情報取得手段が取得したエリア情報を、前記エリア情報に示される無線エリアに対応する地域を示す地域情報に変換する地域情報変換手段と、
登録対象の宛先情報に、前記地域情報変換手段が変換した地域情報を登録地域情報として対応付けて、宛先情報記憶手段に記憶させる情報登録手段とを含む
請求項１記載の携帯端末。
【請求項３】
エリア情報と地域情報とを対応付けた地域情報対応テーブルを予め記憶する地域情報対応テーブル記憶手段を備え、
地域情報変換手段は、前記地域情報対応テーブル記憶手段が記憶する地域情報対応テーブルから、エリア情報に対応する地域情報を抽出することによって、エリア情報を地域情報に変換する
請求項２記載の携帯端末。
【請求項４】
エリア情報取得手段は、所定のタイミングで、基地局から、無線信号としてエリア情報を受信する請求項２又は請求項３記載の携帯端末。
【請求項５】
宛先情報並替手段は、
エリア情報取得手段が取得したエリア情報に基づいて、携帯端末が現在存在している地域を特定する現在地域特定手段と、
宛先情報記憶手段が記憶する各登録地域情報に示される地域と、前記現在地域特定手段が特定した地域との距離が小さい順に、前記宛先情報記憶手段が記憶する各宛先情報を並べ替える並替手段とを含む
請求項２から請求項４のうちのいずれか１項に記載の携帯端末。
【請求項６】
地域の組合せと、前記組合せに示される地域間の距離を示す地域間距離情報とを対応付けた地域間距離対応テーブルを予め記憶する地域間距離対応テーブル記憶手段を備え、
並替手段は、
宛先情報記憶手段が記憶する各登録地域情報に示される地域と、現在地域特定手段が特定した地域との組合せに対応する地域間距離情報を、前記地域間距離対応テーブル記憶手段から抽出し、
抽出した地域間距離情報に示される距離が小さい順に、前記宛先情報記憶手段が記憶する各宛先情報を並べ替える
請求項５記載の携帯端末。
【請求項７】
宛先情報記憶手段が記憶する登録地域情報を、宛先情報毎に更新する地域情報更新手段を備えた請求項１から請求項６のうちのいずれか１項に記載の携帯端末。
【請求項８】
宛先情報登録手段は、宛先情報として電話番号を登録する請求項１から請求項７のうちのいずれか１項に記載の携帯端末。
【請求項９】
携帯端末に登録されている複数の宛先情報を表示する宛先情報表示方法であって、
携帯端末のユーザの登録操作に従って、登録対象の宛先情報を入力するステップと、
入力した登録対象の宛先情報を、前記宛先情報の登録操作が行われた時に前記携帯端末が存在していた地域を示す登録地域情報に対応付けて記憶するステップと、
記憶した各登録地域情報に基づいて、登録操作が行われた時に前記携帯端末が存在していた地域が前記携帯端末の現在位置から近い順に、記憶した各宛先情報を並べ替えるステップと、
並べ替えた順番に従って、記憶した各宛先情報を表示するステップとを含む
ことを特徴とする宛先情報表示方法。
【請求項１０】
所定のタイミングで、携帯端末が現在存在している無線エリアを示すエリア情報を取得するステップと、
宛先情報の登録操作が行われると、取得したエリア情報を、前記エリア情報に示される無線エリアに対応する地域を示す地域情報に変換するステップと、
登録対象の宛先情報に、変換した地域情報を登録地域情報として対応付けて記憶するステップとを含む
請求項９記載の宛先情報表示方法。
【発明の詳細な説明】
【技術分野】
【０００１】
本発明は、登録されている電話番号やメールアドレス等の複数の宛先情報を表示する機能を有する携帯端末及び宛先情報表示方法に関する。
【背景技術】
【０００２】
携帯電話機等の携帯端末において、多数の宛先情報（例えば、電話番号やメールアドレス）が電話帳に登録されている場合に、位置情報に基づいて宛先情報を検索することが行われている。例えば、特許文献１には、電話番号に含まれる地域コードや国家コードを利用して対応する地域を判断し、位置情報の示す地域における電話番号を選択し表示する携帯電話機が記載されている。また、特許文献２には、位置情報に基づいて現在いるエリアを認識し、認識したエリアに対応する局番の電話番号を優先して表示する情報端末が記載されている。また、特許文献３には、無線基地局からの回線制御信号に基づいて滞在国を判別し、現在の滞在国に対応する登録情報を優先して出力する携帯情報端末が記載されている。
【０００３】
【特許文献１】特開２００１−０６９５６４号公報（段落００１４−００１６、図１−２）
【特許文献２】特開２００３−３３９０６６号公報（段落００８１−００８３、図１１）
【特許文献３】特開２００３−２７３９７３号公報（段落００１４−００４５、図１−４）
【発明の開示】
【発明が解決しようとする課題】
【０００４】
特許文献１や特許文献２に記載された携帯電話機や情報端末を用いれば、地域コードや局番等の地域情報を含む電話番号を位置情報に基づいて優先表示することができる。例えば、固定電話機の電話番号を、その電話番号に含まれる局番に基づいて地域を判断し優先表示することができる。しかし、地域コードや局番等の地域情報を含まない電話番号を、位置情報に基づいて優先表示することはできない。例えば、地域に関わらず「０９０」又は「０８０」で始まる携帯電話機の電話番号を、位置情報に基づいて優先表示することはできない。また、位置情報に基づいて電話番号等の宛先情報を優先表示できるにすぎず、多数の宛先情報が電話帳に登録されている場合に、効率的に宛先情報を検索できるとは限らない。
【０００５】
また、特許文献３に記載された携帯情報端末を適用すれば、滞在国の国コードを付加してアドレス帳にアドレスデータを登録することによって、滞在国に対応する宛先情報を優先表示することができる。しかし、滞在国に対応する宛先情報だけを表示できるにすぎず、多数の宛先情報が電話帳に登録されている場合に、効率的に宛先情報を検索できるとは限らない。
【０００６】
そこで、本発明は、多数の宛先情報が登録されている場合において、宛先情報の検索効率を向上できる携帯端末及び宛先情報表示方法を提供することを目的とする。
【課題を解決するための手段】
【０００７】
本発明による携帯端末は、携帯端末（例えば、携帯電話機１０）のユーザの登録操作に従って、宛先情報（例えば、電話番号やメールアドレス）を登録する宛先情報登録手段（例えば、ＣＰＵ３によって実現される）と、登録対象の宛先情報を、宛先情報の登録操作が行われた時に携帯端末が存在していた地域を示す登録地域情報に対応付けて複数記憶する宛先情報記憶手段（例えば、メモリ７によって実現される）と、宛先情報記憶手段が記憶する各登録地域情報に基づいて、登録操作が行われた時に携帯端末が存在していた地域が携帯端末の現在位置から近い順に、宛先情報記憶手段が記憶する各宛先情報を並べ替える宛先情報並替手段（例えば、ＣＰＵ３によって実現される）と、宛先情報並替手段が並べ替えた順番に従って、宛先情報記憶手段が記憶する各宛先情報を表示する宛先情報表示手段（例えば、ＣＰＵ３の指示に従って動作する表示部８によって実現される）とを備えたことを特徴とする。
【０００８】
また、携帯端末は、所定のタイミングで、携帯端末が現在存在している無線エリアを示すエリア情報（例えば、位置登録情報に含まれる基地局ＩＤ）を取得するエリア情報取得手段（例えば、無線部５を制御する制御部２によって実現される）を備え、宛先情報登録手段は、宛先情報の登録操作が行われると、エリア情報取得手段が取得したエリア情報を、エリア情報に示される無線エリアに対応する地域を示す地域情報（例えば、国名や都道府県名、市町村名）に変換する地域情報変換手段（例えば、ＣＰＵ３によって実現される）と、登録対象の宛先情報に、地域情報変換手段が変換した地域情報を登録地域情報として対応付けて、宛先情報記憶手段に記憶させる情報登録手段（例えば、ＣＰＵ３によって実現される）とを含むものであってもよい。
【０００９】
また、携帯端末は、エリア情報と地域情報とを対応付けた地域情報対応テーブルを予め記憶する地域情報対応テーブル記憶手段（例えば、地域情報対応テーブルを記憶するメモリ７によって実現される）を備え、地域情報変換手段は、地域情報対応テーブル記憶手段が記憶する地域情報対応テーブルから、エリア情報に対応する地域情報を抽出することによって、エリア情報を地域情報に変換するものであってもよい。
【００１０】
また、携帯端末において、エリア情報取得手段は、所定のタイミングで、基地局から、無線信号としてエリア情報を受信するものであってもよい。
【００１１】
また、携帯端末において、宛先情報並替手段は、エリア情報取得手段が取得したエリア情報に基づいて、携帯端末が現在存在している地域を特定する現在地域特定手段（例えば、ＣＰＵ３によって実現される）と、宛先情報記憶手段が記憶する各登録地域情報に示される地域と、現在地域特定手段が特定した地域との距離が小さい順に、宛先情報記憶手段が記憶する各宛先情報を並べ替える並替手段（例えば、ＣＰＵ３によって実現される）とを含むものであってもよい。
【００１２】
また、携帯端末は、地域の組合せと、組合せに示される地域間の距離を示す地域間距離情報とを対応付けた地域間距離対応テーブルを予め記憶する地域間距離対応テーブル記憶手段（例えば、距離対応テーブルを記憶するメモリ７によって実現される）を備え、並替手段は、宛先情報記憶手段が記憶する各登録地域情報に示される地域と、現在地域特定手段が特定した地域との組合せに対応する地域間距離情報を、地域間距離対応テーブル記憶手段から抽出し、抽出した地域間距離情報に示される距離が小さい順に、宛先情報記憶手段が記憶する各宛先情報を並べ替えるものであってもよい。
【００１３】
また、携帯端末は、宛先情報記憶手段が記憶する登録地域情報を、宛先情報毎に更新する地域情報更新手段（例えば、ＣＰＵ３によって実現される）を備えたものであってもよい。
【００１４】
また、携帯端末において、宛先情報登録手段は、宛先情報として電話番号を登録するものであってもよい。
【００１５】
本発明による宛先情報表示方法は、携帯端末に登録されている複数の宛先情報を表示する宛先情報表示方法であって、携帯端末のユーザの登録操作に従って、登録対象の宛先情報を入力するステップと、入力した登録対象の宛先情報を、宛先情報の登録操作が行われた時に携帯端末が存在していた地域を示す登録地域情報に対応付けて記憶するステップと、記憶した各登録地域情報に基づいて、登録操作が行われた時に携帯端末が存在していた地域が携帯端末の現在位置から近い順に、記憶した各宛先情報を並べ替えるステップと、並べ替えた順番に従って、記憶した各宛先情報を表示するステップとを含むことを特徴とする。
【００１６】
また、宛先情報表示方法は、所定のタイミングで、携帯端末が現在存在している無線エリアを示すエリア情報を取得するステップと、宛先情報の登録操作が行われると、取得したエリア情報を、エリア情報に示される無線エリアに対応する地域を示す地域情報に変換するステップと、登録対象の宛先情報に、変換した地域情報を登録地域情報として対応付けて記憶するステップとを含むものであってもよい。
【発明の効果】
【００１７】
本発明によれば、宛先情報に登録する際に、登録対象の宛先情報を、登録操作が行われた時に携帯端末が存在していた地域を示す登録地域情報に対応付けて記憶する。そして、各登録地域情報に基づいて、登録操作が行われた時に携帯端末が存在していた地域が携帯端末の現在位置から近い順に、登録している各宛先情報を並べ替えて表示する。従って、多数の宛先情報が登録されている場合において、宛先情報の検索効率を向上させることができる。
【００１８】
また、本発明において、取得したエリア情報を地域情報に変換し、変換した地域情報を登録地域情報として登録するように構成すれば、エリア情報をある程度まとまった領域の地域に変換して、登録する各宛先情報を適切にグループ化することができる。
【００１９】
また、本発明において、地域情報対応テーブルを予め記憶するように構成すれば、地域情報対応テーブルを用いることによって、エリア情報を容易に地域情報に変換することができる。
【００２０】
また、本発明において、地域間距離対応テーブルを予め記憶するように構成すれば、地域間距離対応テーブルを用いることによって、各登録地域情報に示される地域と携帯端末の現在位置との距離を容易に特定することができる。従って、登録地域が現在位置から近い順に、登録している各宛先情報を容易に並べ替えることができる。
【００２１】
また、本発明において、各登録地域情報を更新できるように構成すれば、宛先情報の登録後にユーザ操作に従って登録地域情報を変更することができ、ユーザの利便性を高めることができる。
【発明を実施するための最良の形態】
【００２２】
実施の形態１．
以下、本発明の第１の実施の形態を図面を参照して説明する。図１は、本発明による宛先情報表示方法を用いた携帯端末の構成の一例を示すブロック図である。図１に示すように、本実施の形態では、携帯端末が携帯電話機１０である場合を例に説明する。なお、携帯端末は、携帯電話機１０に限らず、例えば、ＰＨＳや、通信機能を備えたＰＤＡ等の携帯機器であってもよい。図１に示すように、携帯電話機１０は、操作部１、制御部２、ＣＰＵ３、アンテナ４、無線部５、メモリ７及び表示部８を含む。
【００２３】
本実施の形態では、携帯電話機１０は、電話番号の登録操作が行われた場合、入力した電話番号をメモリ７に登録するとともに、登録操作が行われた時に携帯電話機１０が存在していた地域を示す登録地域情報（例えば、国名や都道府県名、市町村名）を保存する。また、携帯電話機１０は、電話番号の検索指示が行われた場合、登録地域情報に示される登録地域が携帯電話機１０が現在存在している無線エリアから近い順に、メモリ７に登録している電話番号をソートして表示する。本実施の形態では、登録地域が現在存在している無線エリアから近い順番に電話番号を表示する表示モードをもつことによって、電話番号の検索効率の向上を実現する。
【００２４】
操作部１は、複数のキースイッチを含み、ユーザの操作に従って各種指示を入力する機能を備える。本実施の形態では、ユーザが、操作部１に含まれるいずれかのキースイッチを押下することによって、制御部２を介してＣＰＵ３に指示が伝えられる。例えば、操作部１は、ユーザの操作に従って、電話番号の登録を指示する旨の電話番号登録指示を入力する。また、例えば、操作部１は、ユーザの操作に従って、登録対象の電話番号を入力する。また、例えば、操作部１は、ユーザの操作に従って、メモリ７に登録している電話番号の表示を指示する旨の電話番号表示指示を入力する。
【００２５】
図２は、操作部１に含まれる各キースイッチの配置の例を示す説明図である。図２に示すように、携帯電話機１０の操作部１は、一般に、「０」〜「９」のテンキーや、「＊」キー、「＃」キー、スクロールキー（「←」や「↑」、「↓」、「→」）、開始キー、終了キー、メニューキー、クリアキー等を含む。
【００２６】
例えば、ユーザによってメニューキーが押下されると、操作部１は、メニューモードへの移行を指示する旨のメニューモード移行指示を入力する。ＣＰＵ３は、制御部２を介してメニューモード移行指示を入力し、制御状態をメニューモードに移行する。また、メニューモードに移行すると、ＣＰＵ３は、表示部８に各種メニューを表示させる。ユーザは、例えば、表示部８に表示されたメニューから電話番号表示ボタンや電話番号登録ボタンを選択操作することによって、電話番号表示指示や電話番号登録指示を行う。そして、操作部１は、ユーザの選択操作に従って、電話番号表示指示や電話番号登録指示を入力する。
【００２７】
無線部５は、アンテナ４を介して、基地局６と無線信号を送受信する機能を備える。制御部２は、ＣＰＵ３の指示に従って、無線部５や操作部１等の携帯電話機１０の各部を制御する機能を備える。例えば、制御部２は、無線部５や操作部１を制御するための各種制御回路によって実現される。例えば、制御部２は、ＣＰＵ３からのデータを符号化し、符号化したデータを無線部５に出力する。また、例えば、制御部２は、無線部５が受信したデータを復号し、復号したデータをＣＰＵ３に出力する。
【００２８】
また、制御部２は、操作部１から入力した各種情報をＣＰＵ３に出力する機能を備える。例えば、制御部２は、操作部１からの各種指示情報（例えば、電話番号登録指示や電話番号表示指示）をＣＰＵ３に出力する。また、例えば、制御部２は、操作部１から入力した登録対象の電話番号をＣＰＵ３に出力する。
【００２９】
ＣＰＵ３は、携帯電話機１０が搭載するプログラムに従って各種処理を実行する機能を備える。本実施の形態では、ＣＰＵ３は、制御部２から電話番号登録指示を入力すると、制御状態を電話番号登録モードに移行する。そして、ＣＰＵ３は、制御部２から登録対象の電話番号を入力すると、入力した電話番号をメモリ７に記憶させる。この場合、ＣＰＵ３は、メモリ７が記憶する電話番号データ（電話帳）に、登録対象の電話番号を格納する。また、ＣＰＵ３は、登録操作が行われた時に携帯電話機１０が存在していた地域を特定して登録地域情報を求め、登録地域情報を登録対象の電話番号に対応付けて電話番号データに格納する。
【００３０】
また、ＣＰＵ３は、制御部２から電話番号表示指示を入力すると、制御状態を電話番号表示モードに移行する。ＣＰＵ３は、メモリ７が記憶する電話番号データから各登録電話番号を抽出し、抽出した各登録電話番号を液晶表示部等の表示部８に表示させる。
【００３１】
本実施の形態では、ＣＰＵ３は、通常の表示形式である通常表示モード、又は登録地域に従って並べ替えを行って表示する表示形式である登録地域表示モードのいずれかの表示モードを用いて、抽出した各電話番号を表示する。通常表示モードを用いて表示する場合、ＣＰＵ３は、予め定められたルールに従って、抽出した各電話番号を表示部８に表示させる。例えば、ＣＰＵ３は、抽出した各電話番号を、「アイウエオ」順に表示部８に表示させる。
【００３２】
また、登録地域表示モードを用いて表示する場合、ＣＰＵ３は、登録地域情報に示される登録地域が携帯電話機１０の現在位置に近い順に、抽出した各電話番号を並べ替える。そして、ＣＰＵ３は、並べ替え結果に従って、登録地域が携帯電話機１０の現在位置に近い順に、抽出した各電話番号を表示部８に表示させる。
【００３３】
メモリ７は、複数の登録電話番号を含む電話番号データを記憶する。本実施の形態では、メモリ７は、各登録電話番号を登録地域情報に対応付けて含む電話番号データを記憶する。なお、メモリ７は、電話番号に限らず、メールアドレス等の宛先情報を登録地域情報に対応付けて記憶してもよい。
【００３４】
図３は、メモリ７が記憶する電話番号データの例を示す説明図である。図３に示すように、本例では、メモリ７が１０件の電話番号を含む電話番号データを記憶する場合を説明する。図３に示すように、メモリ７は、登録番号毎に、相手の名前、フリガナ、電話番号及びメールアドレスを、登録地域情報に対応付けて含む電話番号データを記憶する。
【００３５】
本実施の形態では、携帯電話機１０は、所定のタイミングで、基地局６から、携帯電話機１０が現在存在している無線エリアを示すエリア情報を受信し、受信したエリア情報をメモリ７に登録する。また、ＣＰＵ３は、電話番号の登録を行うと、現在登録しているエリア情報を、地域を示す地域情報に変換する。そして、ＣＰＵ３は、変換した地域情報を登録地域情報として、登録対象の電話番号に対応付けてメモリ７に記憶させる。
【００３６】
例えば、携帯電話機１０は、所定のタイミングで基地局ＩＤを含む位置登録情報を基地局６から受信し、受信した位置登録情報をメモリ７に登録することによって位置登録を行っている。ＣＰＵ３は、現在登録している位置登録情報から基地局ＩＤをエリア情報として抽出し、抽出した基地局ＩＤを、国名や都道府県名、市町村名等の地域名に変換して登録地域情報を求める。そして、ＣＰＵ３は、求めた登録地域情報を、登録した電話番号に対応付けてメモリ７に記憶させる。本実施の形態では、地域名に変換することによって、各電話番号を地域毎にグループ化してメモリ７に登録している。
【００３７】
次に、動作について説明する。まず、携帯電話機１０がエリア情報を取得し登録する動作を説明する。図４は、携帯電話機１０がエリア情報を取得し登録する処理、及び所定時間毎にエリア情報を更新するエリア情報取得／更新処理の一例を示す流れ図である。本実施の形態では、携帯電話機１０は、ユーザによって電源がオンにされると、携帯電話サービスのサービスエリア圏外であるか否かを判断し、基地局６からエリア情報を取得し登録する。また、携帯電話機１０は、電源がオンにされた後、所定時間毎に、サービスエリア圏内であるか否かを判断し、基地局６からエリア情報を取得し更新する。
【００３８】
ユーザによって携帯電話機１０の電源がオンにされると（ステップＳ７１）、携帯電話機１０は、現在いる場所がサービスエリア圏内であるか否かを判定する（ステップＳ７２）。例えば、携帯電話機１０は、電源がオンにされると、基地局６から所定の信号を受信し、受信信号にもとづいて受信電界値を測定する。また、携帯電話機１０のＣＰＵ３は、測定した受信電界値が所定の閾値より小さいか否かを判断する。そして、受信電界値が閾値より小さいと判断すると、ＣＰＵ３は、携帯電話機１０がサービスエリア圏外にいると判定する。受信電界値が閾値より小さくないと判断すると、ＣＰＵ３は、携帯電話機１０がサービスエリア圏内にいると判定する。
【００３９】
サービスエリア圏外にいると判定すると、携帯電話機１０は、サービスエリア圏内に移動するまで、所定時間毎にステップＳ７２の処理を繰り返し実行する。サービスエリア圏内にいると判定すると、携帯電話機１０は、基地局６から、携帯電話機１０が現在存在している無線エリアを示すエリア情報を取得する（ステップＳ７３）。そして、ＣＰＵ３は、取得したエリア情報をメモリ７に記憶（登録）させる（ステップＳ７４）。以下、メモリ７に登録されているエリア情報を登録エリア情報ともいう。
【００４０】
例えば、携帯電話機１０は、基地局６から所定の位置登録情報を受信することによって、位置登録処理を行う。この場合、携帯電話機１０は、現在いる無線エリアの基地局６を示す基地局ＩＤを含む位置登録情報を、基地局６から無線信号として受信する。そして、ＣＰＵ３は、例えば、受信した位置登録情報から基地局ＩＤを抽出し、抽出した基地局ＩＤをエリア情報としてメモリ７に記憶させる。
【００４１】
エリア情報を登録すると、携帯電話機１０は、所定時間毎に、無線エリアの移行の有無を判定する（ステップＳ７５）。この場合、例えば、携帯電話機１０は、現在のエリア情報を基地局６から取得し、メモリ７に登録している登録エリア情報と一致するか否かを判断する。登録エリア情報と一致すると判断すると、携帯電話機１０は、所定時間前から無線エリアを移動していない（無線エリアの移行なし）と判定する。また、登録エリア情報と一致しないと判断すると、携帯電話機１０は、所定時間前にいた無線エリアと異なる無線エリアに移動した（無線エリアの移行あり）と判定する。
【００４２】
例えば、携帯電話機１０は、所定時間毎に、基地局６から位置登録情報を受信し、位置登録処理を行っている。この場合、ＣＰＵ３は、受信した位置登録情報から基地局ＩＤを抽出し、メモリ７に登録している基地局ＩＤと一致するか否かを判断する。登録している基地局ＩＤと一致すると判断すると、ＣＰＵ３は、無線エリアの移行なしと判定する。また、登録している基地局ＩＤと一致しないと判断すると、ＣＰＵ３は、無線エリアの移行ありと判定する。
【００４３】
無線エリアの移行なしと判定した場合、携帯電話機１０は、所定時間毎に、ステップＳ７５の処理を繰り返し実行する。無線エリアの移行ありと判定すると、携帯電話機１０は、ステップＳ７２と同様の処理に従って、現在いる無線エリア（すなわち、移動後の無線エリア）がサービスエリア圏内であるか否かを判定する（ステップＳ７６）。
【００４４】
サービスエリア圏内にいると判定すると、携帯電話機１０は、ステップＳ７３と同様の処理に従って、基地局６から、携帯電話機１０が現在存在している無線エリアを示すエリア情報（すなわち、移動後の無線エリアを示すエリア情報）を取得する（ステップＳ７７）。そして、ＣＰＵ３は、ステップＳ７４と同様の処理に従って、取得したエリア情報をメモリ７に記憶させる（ステップＳ７８）。
【００４５】
すなわち、ＣＰＵ３は、メモリ７に登録する登録エリア情報を、移動後の無線エリアを示すエリア情報に更新する。また、ステップＳ７８において、ＣＰＵ３は、最新のエリア情報だけが残るように、古い登録エリア情報（すなわち、移動前の無線エリアを示すエリア情報）に新しいエリア情報（すなわち、移動後の無線エリアを示すエリア情報）を上書きする制御を行う。なお、ステップＳ７５で無線エリアの移動の有無を判定するために、既に現在のエリア情報を基地局６から取得している場合、ＣＰＵ３は、ステップＳ７５で取得したエリア情報をメモリ７に記憶させて登録エリア情報を更新してもよい。
【００４６】
登録エリア情報を更新すると、携帯電話機１０は、ステップＳ７５に戻り、ステップＳ７５からステップＳ７８までの処理を繰り返し実行する。すなわち、携帯電話機１０は、無線エリアの移行を検出する毎に、繰り返し登録エリア情報を更新する。
【００４７】
なお、ステップＳ７６でサービスエリア圏外であると判定すると、携帯電話機１０は、ステップＳ７５に戻り、ステップＳ７５以降の処理を繰り返し実行する。すなわち、携帯電話機１０は、サービスエリア圏外にいる場合には、登録エリア情報の更新処理を行わずに、最後にサービスエリア圏内にいた時に取得した登録エリア情報をそのまま保持する。
【００４８】
以上のように、ステップＳ７１からステップＳ７８までの処理が実行されることによって、携帯電話機１０が現在存在している無線エリアを示すエリア情報が登録される。また、携帯電話機１０が無線エリアを移動したことを検出する毎に、登録エリア情報が随時更新される。
【００４９】
次に、携帯電話機１０が電話番号データ（電話帳）に新規に電話番号を登録する動作を説明する。図５は、携帯電話機１０が電話番号データに電話番号を登録する電話番号登録処理の一例を示す流れ図である。ユーザは、新規に電話番号登録を行う場合、携帯電話機１０の操作部１を操作して電話番号登録モードへの移行指示を行う。この場合、携帯電話機１０は、ユーザの操作に従って、電話番号登録指示を入力する（ステップＳ６１）。
【００５０】
例えば、ユーザが図２に示すメニューキーを押下すると、携帯電話機１０は、メニューモード移行指示を入力する。すると、ＣＰＵ３は、制御状態をメニューモードに移行し、表示部８に各種メニューを表示させる。また、例えば、ユーザは、表示部８に表示されたメニューから電話番号登録ボタンを選択操作する。すると、携帯電話機１０は、電話番号登録指示を入力する。
【００５１】
ＣＰＵ３は、制御部２から電話番号登録指示を入力すると、制御状態を電話番号登録モードに移行する。また、ＣＰＵ３は、メモリ７に登録している登録エリア情報を抽出する（ステップＳ６２）。
【００５２】
本実施の形態では、図４に示したステップＳ７１からステップＳ７８までの処理が随時実行されることによって、メモリ７には、携帯電話機１０が現在存在している無線エリアを示す登録エリア情報が記憶されている。従って、ステップＳ６２において、ＣＰＵ３は、メモリ７から、携帯電話機１０が現在存在している無線エリアを示す登録エリア情報を抽出する。なお、携帯電話機１０が駅構内や建物の地下等のサービスエリア圏外に現在いる場合には、ＣＰＵ３は、メモリ７から、携帯電話機１０が最後にサービスエリア圏内にいた時の無線エリアを示す登録エリア情報を抽出することになる。
【００５３】
ＣＰＵ３は、抽出した登録エリア情報に基づいて、携帯電話機１０が現在存在している地域を特定し登録地域情報（グループ名）を求める（ステップＳ６３）。例えば、携帯電話機１０は、エリア情報（例えば、基地局ＩＤ）と地域情報（例えば、国名や都道府県名、市町村名）とを対応付けた地域情報対応テーブルを、予めメモリ７に記憶している。そして、ＣＰＵ３は、予め記憶する地域情報対応テーブルから、登録エリア情報に対応する地域情報を抽出することによって、登録地域情報を求める。
【００５４】
例えば、携帯電話機１０を日本だけでなく海外でも用いる場合、ＣＰＵ３は、登録エリア情報に基づいて、地域情報として「日本国」や「イギリス」等の国名を求める。また、例えば、ＣＰＵ３は、地域情報として「静岡県」や「東京都」等の都道府県名を求める。また、例えば、ＣＰＵ３は、地域情報として「浜松市」や「静岡市」等の市町村名を求める。なお、国名や都道府県名、市町村名でグループ化する場合に限らず、例えば、ＣＰＵ３は、携帯電話機１０が現在存在している地域の区や郡の名称を特定してもよい。
【００５５】
一般に、基地局６から取得した基地局ＩＤ等のエリア情報をそのまま用いて登録地域のグループ化を行うと、グループが細分化されすぎて登録地域のグループ化を適切に行えないことがある。そのため、本実施の形態では、エリア情報を、ある程度まとまった領域の名称である国名や都道府県名、市町村名等の地域情報に変換しグループ化して、電話番号とともにメモリ７に格納する。
【００５６】
携帯電話機１０は、ユーザの操作に従って、登録対象の各情報を入力する。また、携帯電話機１０は、登録対象の各情報の入力が完了したか否かを判断する（ステップＳ６４）。例えば、携帯電話機１０は、ユーザの操作に従って、登録対象の電話番号やメールアドレス、登録対象の電話番号の端末を所持する相手の名前、フリガナを入力する。また、ユーザは、登録対象の情報を全て入力すると、携帯電話機１０の操作部１を用いて、登録完了の指示操作を行う。例えば、ユーザは、携帯電話機１０の表示部８に表示された登録完了ボタン等を押下することによって、登録完了の指示操作を行う。ユーザによって登録完了の指示操作が行われると、携帯電話機１０は、登録対象の各情報の入力が完了したと判断する。
【００５７】
登録対象の各情報の入力を完了すると、ＣＰＵ３は、登録対象の各情報を、ステップＳ６３で求めた登録地域情報（グループ名）に対応付けてメモリ７に記憶させる（ステップＳ６５）。例えば、ＣＰＵ３は、図３に示すように、相手の名前、フリガナ、電話番号及びメールアドレスを、登録地の都道府県名を示す登録地域情報に対応付けて、メモリ７が記憶する電話番号データに格納する。
【００５８】
なお、携帯電話機１０は、例えば、受信したＧＰＳ信号に基づいて、電話番号の登録操作が行われた時の携帯電話機１０の位置情報（例えば、緯度及び経度。以下、登録位置情報ともいう）を求めてもよい。そして、ＣＰＵ３は、ステップＳ６５において、求めた登録位置情報を、登録対象の各情報及び登録地域情報に対応付けてメモリ７に記憶させてもよい。
【００５９】
以上のように、ステップＳ６１からステップＳ６５までの処理が実行されることによって、電話番号やメールアドレス等の宛先情報が地域情報に対応付けて登録される。
【００６０】
なお、本実施の形態では、図５に示すように、電話番号が新規にメモリ７に登録された時にのみ、登録地域情報をメモリ７に格納する。例えば、電話番号の新規登録後に登録電話番号を編集／修正する時にも登録地域情報の更新を行うようにすると、一般にユーザは自宅等の同一エリアで登録電話番号の編集／修正を行うことが多いため、各登録電話番号に対応する登録地域情報が全て同じ情報に書き換えられてしまう虞がある。本実施の形態では、電話番号の新規登録時にのみ登録地域情報を格納することによって、各登録電話番号に対応する登録地域情報が全て同じ情報に書き換えられてしまうことを防止している。
【００６１】
次に、携帯電話機１０がユーザの指示に従って電話番号を表示する動作を説明する。図６は、携帯電話機１０がメモリ７に登録している電話番号を表示する電話番号表示処理の一例を示す流れ図である。ユーザは、電話帳に登録されている電話番号の検索を行う場合、携帯電話機１０の操作部１を操作して電話番号表示モードへの移行指示を行う。この場合、携帯電話機１０は、ユーザの操作に従って、電話番号表示指示を入力する（ステップＳ８１）。
【００６２】
例えば、ユーザが図２に示すメニューキーを押下すると、携帯電話機１０は、メニューモード移行指示を入力する。すると、ＣＰＵ３は、制御状態をメニューモードに移行し、表示部８に各種メニューを表示させる。また、例えば、ユーザは、表示部８に表示されたメニューから電話番号表示ボタンを選択操作する。すると、携帯電話機１０は、電話番号表示指示を入力する。
【００６３】
ＣＰＵ３は、制御部２から電話番号表示指示を入力すると、制御状態を電話番号表示モードに移行する。また、ＣＰＵ３は、電話番号の表示形式として、登録地域表示モードが選択されたか否かを判定する（ステップＳ８２）。例えば、ユーザは、登録地域表示モードで各電話番号を表示させたい場合、表示部８に表示されたメニューから登録地域表示ボタンを選択操作する。すると、ＣＰＵ３は、電話番号の表示形式として、登録地域表示モードが選択されたと判定する。登録地域表示ボタンの選択操作が行われなかった場合には、ＣＰＵ３は、電話番号の表示形式として、登録地域表示モードが選択されなかったと判定する。
【００６４】
登録地域表示モードが選択されなかったと判定すると、ＣＰＵ３は、メモリ７から各電話番号を抽出し、通常表示モードを用いて表示部８に各電話番号を表示させる（ステップＳ８３）。この場合、例えば、ＣＰＵ３は、メモリ７に登録している各電話番号を、「アイウエオ」順に表示部８に表示させる。
【００６５】
登録地域表示モードが選択されたと判定すると、ＣＰＵ３は、メモリ７に登録している登録エリア情報を抽出する（ステップＳ８４）。本実施の形態では、図４に示したステップＳ７１からステップＳ７８までの処理が随時実行されることによって、メモリ７には、携帯電話機１０が現在存在している無線エリアを示す登録エリア情報が記憶されている。従って、ステップＳ８４において、ＣＰＵ３は、メモリ７から、携帯電話機１０が現在存在している無線エリアを示す登録エリア情報を抽出する。なお、携帯電話機１０がサービスエリア圏外に現在いる場合には、ＣＰＵ３は、メモリ７から、携帯電話機１０が最後にサービスエリア圏内にいた時の無線エリアを示す登録エリア情報を抽出することになる。
【００６６】
ＣＰＵ３は、抽出した登録エリア情報及びメモリ７に登録されている各登録地域情報に基づいて、メモリ７に登録されている各電話番号を、携帯電話機１０が現在存在している位置から近い順にグループ順（地域順）にソートする（ステップＳ８５）。すなわち、ＣＰＵ３は、登録操作が行われた時に携帯電話機１０が存在していた地域が携帯電話機１０の現在位置から近い順に、メモリ７に登録されている各電話番号を並べ替える。
【００６７】
例えば、携帯電話機１０がメモリ７に図３に示す各登録情報を記憶している場合を説明する。図７及び図８は、図３に示す各登録電話番号を、登録エリア情報及び各登録地域情報に基づいてソートした並べ替え結果を示す説明図である。図７は、携帯電話機１０が東京都に現在いる場合に、各登録電話番号をソートした並べ替え結果を示す。図８は、携帯電話機１０が静岡県に現在いる場合に、各登録電話番号をソートした並べ替え結果を示す。
【００６８】
ＣＰＵ３は、登録エリア情報に基づいて、携帯電話機１０が現在存在している地域を特定する。例えば、ＣＰＵ３は、予め記憶する地域情報対応テーブルから、登録エリア情報に対応する地域情報を抽出することによって、携帯電話機１０が現在存在している地域を特定する。なお、携帯電話機１０がサービスエリア圏外にいる場合には、ＣＰＵ３は、携帯電話機１０が最後にサービスエリア圏内にいた時の地域を特定することになる。
【００６９】
ＣＰＵ３は、登録エリア情報から特定した地域と、図３に示す各登録地域情報とに基づいて、図３に示す各登録電話番号をソートする。例えば、携帯電話機１０は、地域の組合せと、組合せに示される地域間の距離を示す地域間距離情報とを対応付けた距離対応テーブルを予め記憶している。また、ＣＰＵ３は、各登録地域情報に示される地域と、登録エリア情報から特定した地域との組合せに対応する地域間距離情報を、予め記憶する距離対応テーブルから抽出する。そして、ＣＰＵ３は、抽出した地域間距離情報に示される距離が小さい順に、メモリ７に登録している各電話番号を並べ替える。
【００７０】
例えば、登録エリア情報に基づいて携帯電話機１０が東京都にいると特定すると、ＣＰＵ３は、図３に示す各登録番号のうち、登録地域情報「東京都」に対応する電話番号が現在位置から最も近い場所で登録された番号であると判断する。そして、ＣＰＵ３は、図７に示すように、東京都で登録された電話番号（本例では、名前が「太田」、「田中」、「村松」及び「佃」の電話番号）が上位になるように、各登録電話番号をソートする。また、ＣＰＵ３は、登録地域情報「静岡県」に対応する電話番号が東京都の次に現在位置から近い場所で登録された番号であると判断し、東京都の次に上位になるように、静岡県で登録された番号（本例では、名前が「鈴木」、「木村」、「藤田」及び「大山」の電話番号）をソートする。
【００７１】
また、ＣＰＵ３は、登録地域情報「愛知県」に対応する電話番号が静岡県の次に現在位置から近い場所で登録された番号であると判断し、静岡県の次に上位になるように、愛知県で登録された番号（本例では、「山田」の電話番号）をソートする。また、ＣＰＵ３は、登録地域情報「広島県」に対応する電話番号が現在位置から最も遠い場所で登録された番号であると判断し、広島県で登録された電話番号（本例では、「佐々木」の電話番号）が下位になるように、各登録電話番号をソートする。
【００７２】
また、例えば、登録エリア情報に基づいて携帯電話機１０が静岡県にいると特定すると、ＣＰＵ３は、図３に示す各登録番号のうち、登録地域情報「静岡県」に対応する電話番号が現在位置から最も近い場所で登録された番号であると判断する。そして、ＣＰＵ３は、図８に示すように、静岡県で登録された電話番号（本例では、名前が「鈴木」、「木村」、「藤田」及び「大山」の電話番号）が上位になるように、各登録電話番号をソートする。また、ＣＰＵ３は、登録地域情報「愛知県」に対応する電話番号が静岡県の次に現在位置から近い場所で登録された番号であると判断し、静岡県の次に上位になるように、愛知県で登録された番号（本例では、名前が「山田」の電話番号）をソートする。
【００７３】
また、ＣＰＵ３は、登録地域情報「東京都」に対応する電話番号が愛知県の次に現在位置から近い場所で登録された番号であると判断し、愛知県の次に上位になるように、東京都で登録された番号（本例では、「太田」、「田中」、「村松」及び「佃」の電話番号）をソートする。また、ＣＰＵ３は、登録地域情報「広島県」に対応する電話番号が現在位置から最も遠い場所で登録された番号であると判断し、広島県で登録された電話番号（本例では、「佐々木」の電話番号）が下位になるように、各登録電話番号をソートする。
【００７４】
なお、メモリ７に登録地域情報に加えて登録位置情報を記憶している場合、例えば、ＣＰＵ３は、各登録位置情報に基づいて、現在位置から所定の半径以内で登録された電話番号を優先表示するように、各登録電話番号をソートしてもよい。
【００７５】
メモリ７に登録している各登録電話番号をソートすると、ＣＰＵ３は、並べ替え結果に従って、登録地域が現在位置から近い順に、各登録電話番号を表示部８に表示させる（ステップＳ８６）。なお、メモリ７に登録している電話番号の数が、表示部８に表示可能な数を超えている場合には、ＣＰＵ３は、登録地域が現在位置から近い方から順に、表示可能な数だけ登録電話番号を表示部８に表示させる。そして、ユーザが操作部１を用いてスクロールキー（「←」キーや「↑」キー、「↓」キー、「→」キー）を押下すると、ＣＰＵ３は、表示部８に、各登録電話番号をスクロール表示させる。
【００７６】
以上のように、本実施の形態によれば、電話番号を電話帳等に登録する際に、登録対象の電話番号を、登録操作が行われた時に携帯電話機１０が存在していた地域を示す登録地域情報に対応付けてメモリ７に記憶する。そして、各登録地域情報に基づいて、登録操作が行われた時に携帯電話機１０が存在していた地域が携帯電話機１０の現在位置から近い順に、メモリ７に登録している各電話番号をソートし表示する。従って、多数の電話番号が登録されている場合において、電話番号の検索効率を向上させることができる。
【００７７】
例えば、一般に、イギリスやアメリカ等の海外出張が多い場合、ユーザは、イギリスで出会った人物の電話番号登録をイギリス滞在中に行い、アメリカで出会った人物の電話番号登録をアメリカ滞在中に行うことが多い。例えば、イギリス出張からの帰国後、再度イギリスに出張した時にユーザが電話をかける場合、イギリス国内で最初に会った人物に電話をかける可能性が高い。本実施の形態では、携帯電話機１０が現在位置で以前登録した電話番号を優先的に上位になるように表示するので、発信対象の相手の電話番号を見つけやすく、ユーザの利便性を高めることができる。
【００７８】
また、同様に、日本国内に出かけることが多い場合であっても、発信対象の相手の電話番号を見つけやすく、ユーザの利便性を高めることができる。例えば、日本国内で東京都や静岡県に出かけることが多い場合や、静岡県内で浜松市や静岡市に出かけることが多い場合であっても同様にあてはまり、携帯電話機１０が日本国内の現在位置で以前登録した電話番号を優先的に上位になるように表示することによって、発信対象の相手の電話番号を見つけやすくできる。
【００７９】
すなわち、電話番号の表示モードが登録地域表示モードに設定されると、携帯電話機１０は現在位置から近い地域で登録された電話番号から順位表示するので、使用する可能性が高い電話番号が優先的に上位に表示され、発信対象の相手の電話番号を見つけやすくできる。
【００８０】
また、本実施の形態によれば、電話帳等に登録されている電話番号が多い場合であっても、登録地域が現在位置から近い順にソートして全ての登録電話番号を表示するので、多数の電話番号が登録されている場合であっても発信対象の相手の電話番号を見つけることができ、電話番号の検索効率を向上させることができる。
【００８１】
なお、本実施の形態では、携帯電話機１０が宛先情報として電話番号をソートして表示する場合を説明したが、携帯電話機１０は、電話番号以外の宛先情報をソートして表示してもよい。例えば、電話帳にメールアドレスを登録してる場合、携帯電話機１０は、宛先情報としてメールアドレスをソートして表示してもよい。
【００８２】
実施の形態２．
次に、本発明の第２の実施の形態を図面を参照して説明する。本実施の形態では、携帯電話機１０は、電話番号の登録処理を行った後に、ユーザの操作に従って、電話番号とともに登録した登録地域情報（グループ名）を編集（変更）する処理を行う。
【００８３】
なお、本実施の形態において、携帯電話機１０の基本的な構成及び機能は、第１の実施の形態で示した構成及び機能と同様である。また、携帯電話機１０が行うエリア情報取得／更新処理、電話番号登録処理、及び電話番号表示処理は、第１の実施の形態で示したそれらの処理と同様である。
【００８４】
図９は、携帯電話機１０が、ユーザの操作に従って、登録電話番号及び登録地域情報を編集する電話番号編集処理の一例を示す流れ図である。ユーザは、電話番号登録処理で登録した登録電話番号や登録地域情報を編集したい場合、携帯電話機１０の操作部１を操作して電話番号編集モードへの移行指示を行う。この場合、携帯電話機１０は、ユーザの操作に従って、登録電話番号や登録地域情報の編集を指示する旨の電話番号編集指示を入力し、制御状態を電話番号編集モードに移行する（ステップＳ９１）。
【００８５】
例えば、ユーザが図２に示すメニューキーを押下すると、携帯電話機１０は、メニューモード移行指示を入力する。すると、ＣＰＵ３は、制御状態をメニューモードに移行し、表示部８に各種メニューを表示させる。また、例えば、ユーザは、表示部８に表示されたメニューから電話番号編集ボタンを選択操作する。すると、携帯電話機１０は、電話番号選択指示を入力する。
【００８６】
携帯電話機１０は、ユーザの操作に従って、各更新情報を入力する。例えば、携帯電話機１０は、ユーザの操作に従って、登録電話番号又は登録地域情報の更新情報を入力する。ＣＰＵ３は、入力した各更新情報に基づいて、登録地域情報（グループ名）の更新指示があるか否かを判定する（ステップＳ９２）。
【００８７】
登録地域情報の更新指示があると判定すると、ＣＰＵ３は、入力した更新情報に基づいて、メモリ７に格納している登録地域情報を更新する（ステップＳ９３）。なお、複数の登録電話番号に対応する登録地域情報の更新指示がある場合、ＣＰＵ３は、メモリ７が記憶する登録地域情報を登録電話番号毎に更新する。登録地域情報の更新指示がない（すなわち、登録電話番号の更新指示だけである）と判定すると、ＣＰＵ３は、ステップＳ９３の処理を実行せずに、そのままステップＳ９４の処理に移行する。
【００８８】
携帯電話機１０は、ユーザの操作に従って、更新対象の登録電話番号の入力が完了したか否かを判断する（ステップＳ９４）。登録電話番号の更新情報の入力を完了すると、ＣＰＵ３は、入力した更新情報に基づいて、メモリ７に格納している登録電話番号を更新する（ステップＳ９５）。
【００８９】
以上のように、本実施の形態によれば、電話番号の登録後に、ユーザ操作に従って登録地域情報（グループ名）を変更することができ、ユーザにとって更に使い勝手のよい電話帳検索を実現することができる。例えば、ある地域（例えば、東京都）にいる時に発信する頻度が高い相手の電話番号を、偶然他の地域（例えば、愛知県）にいる時に最初に電話帳に登録してしまった場合、登録地域に基づく並べ替え表示を行っても、その相手の電話番号を容易に見つけることはできない。本実施の形態によれば、電話番号の登録後に登録地域情報の変更ができるので、登録地域情報を発信頻度が高い地域に修正することができ、ユーザの利便性を高めることができる。
【産業上の利用可能性】
【００９０】
本発明は、携帯電話機等の携帯端末において、電話帳に登録されている電話番号やメールアドレスを表示する用途に適用できる。
【図面の簡単な説明】
【００９１】
【図１】本発明による宛先情報表示方法を用いた携帯端末の構成の一例を示すブロック図である。
【図２】操作部に含まれる各キースイッチの配置の例を示す説明図である。
【図３】メモリが記憶する電話番号データの例を示す説明図である。
【図４】携帯電話機がエリア情報を取得し登録する処理、及び所定時間毎にエリア情報を更新するエリア情報取得／更新処理の一例を示す流れ図である。
【図５】携帯電話機が電話番号データに電話番号を登録する電話番号登録処理の一例を示す流れ図である。
【図６】携帯電話機がメモリに登録している電話番号を表示する電話番号表示処理の一例を示す流れ図である。
【図７】携帯電話機が東京都に現在いる場合に、各登録電話番号をソートした並べ替え結果を示す説明図である。
【図８】携帯電話機が静岡県に現在いる場合に、各登録電話番号をソートした並べ替え結果を示す説明図である。
【図９】携帯電話機が、ユーザの操作に従って、登録電話番号及び登録地域情報を編集する電話番号編集処理の一例を示す流れ図である。
【符号の説明】
【００９２】
１  操作部
２  制御部
３  ＣＰＵ
４  アンテナ
５  無線部
６  基地局
７  メモリ
８  表示部
１０  携帯電話機
【図１】
2006319454.tif 000003
【図２】
2006319454.tif 000004
【図３】
2006319454.tif 000005
【図４】
2006319454.tif 000006
【図５】
2006319454.tif 000007
【図６】
2006319454.tif 000008
【図７】
2006319454.tif 000009
【図８】
2006319454.tif 000010
【図９】
2006319454.tif 000011